(57)【特許請求の範囲】
【請求項１】
既設の加入者保安器に、光ケーブル通信線の接続部を取付ける成端キャビネットが着脱自在に装着され、成端キャビネットのキャビネット本体には、既設の加入者保安器に装着するためのアタッチメントが着脱自在に設けられることを特徴とする成端キャビネット。
【請求項２】
請求項１記載の成端キャビネットにおいて、成端キャビネットが既設の加入者保安器よりも大きな外形を呈する場合、キャビネット本体の裏面にはアタッチメントの取付位置を選択可能とするキャッチ部が複数配置されていることを特徴とする成端キャビネット。
【請求項３】
請求項２記載の成端キャビネットにおいて、キャビネット本体のキャッチ部が、上下左右に複数配置され、キャッチ部とアタッチメントとが着脱自在に係合されることを特徴とする成端キャビネット。
【発明の詳細な説明】
【０００１】
【発明の属する技術分野】
本発明は、既設の加入者保安器に、光ケーブル通信線の接続部を取付ける成端キャビネットに関する。
【０００２】
【従来の技術】
雷による衝撃やその他の異常電圧等から通信機器を保護するためにメタル通信線の外線と内線との境界部分、例えば各加入者宅の外壁には、加入者保安器が設けられている。
【０００３】
一方従来から、光ケーブル通信線の外線と内線との接続部を取付ける成端キャビネットにおいて、上記既設の加入者保安器と隣接して設ける場合には、各加入者宅の外壁に直接ねじ穴を開けて、ねじ止めし、取付けられていた。
【０００４】
また、上記既設の加入者保安器と離れて設ける場合には、ねじ止めの他に、各加入者宅の外壁に板を取付け、この板に成端キャビネットが取付けられていた。
【０００５】
【発明が解決しようとする課題】
上述したように既設の加入者保安器や成端キャビネットを各加入者宅に取付ける場合には、それぞれ個別に取付ける必要があった。
【０００６】
既設の加入者保安器に隣接して取付ける場合には、取付けに要するスペースの確保が必要となるばかりか、美観が損なわれてしまうという不具合があった。また、既設の加入者保安器と離れて取付ける場合には、スペースの確保が非常に困難であった。
【０００７】
成端キャビネットの取付けを直接ねじ止めする場合や板に取付けされる場合によっても、加入者宅の外壁に開けるねじ穴が増えるという問題も生じる。いずれにせよ、開けられたねじ穴は、雨水等の浸入による被害を引き起こす原因となるため、できるだけ開けないことが望まれる。
【０００８】
加入者保安器を雨等の中で修理する場合に、雨等により、メタル通信線の錆びを防止するため、できるだけ加入者保安器を覆い隠し保護する必要がある。
【０００９】
本発明は、このような事情に対処してなされたもので、加入者保安器を覆い隠すように成端キャビネットを取付けることで、取付けスペースの確保を容易とすることができるとともに、スッキリとして美観が増し、ねじ穴箇所が少なく取付け作業性にも優れた光ケーブル通信線の成端キャビネットを提供することを目的とする。
【００１０】
【課題を解決するための手段】
上述の課題を解決するために、本発明は以下の手段を採用する。
【００１１】
すなわち、請求項１では、既設の加入者保安器に、光ケーブル通信線の接続部を取り付ける成端キャビネットが着脱自在に装着され、成端キャビネットのキャビネット本体には、既設の加入者保安器に装着するためのアタッチメントが着脱自在に設けられることを特徴とする。
【００１２】
この手段では、成端キャビネットが既設の加入者保安器に装着されて、取付けられる。また、アタッチメントを設けるだけで、既設の加入者保安器の元々有しているスペースに成端キャビネットが取付けられ、取付けの簡便性が向上される。
【００１３】
請求項２では、請求項１記載の成端キャビネットにおいて、成端キャビネットが既設の加入者保安器よりも大きな外形を呈する場合、キャビネット本体の裏面にはアタッチメントの取付位置を選択可能とするキャッチ部が複数配置されていることを特徴とする。
【００１４】
この手段では、アタッチメントの取付位置の自由選択が可能とされる。また、既設の加入者保安器の設置場所に伴って成端キャビネットが取付けられる。
【００１５】
請求項３では、請求項２記載の成端キャビネットにおいて、キャビネット本体のキャッチ部が、上下左右に複数配置され、キャッチ部とアタッチメントとが着脱自在に係合されることを特徴とする。
【００１６】
この手段では、アタッチメントの取付位置は、上下左右に複数選択が可能とされる。既設の加入者保安器の設置場所に成端キャビネットが取付けられる際の自由度が増す。
【００１７】
【発明の実施の形態】
以下、本発明の成端キャビネットに係る実施の形態について図面に基づいて説明する。図１は実施の形態の成端キャビネットの分解斜視図、図２は実施の形態のアタッチメントと加入者保安器との嵌合時の拡大斜視図、図３は実施の形態の成端キャビネットのキャビネット本体の裏面の斜視図、図４は実施の形態の成端キャビネットのキャビネット本体のキャッチ部Ａにアタッチメントが取り付けられた斜視図、図５は実施の形態の成端キャビネットのキャビネット本体のキャッチ部Ｂにアタッチメントが取り付けられた斜視図、図６は図５の状態のＡ−Ａ線断面図、図７、図８は成端キャビネットを既設の加入者保安器に取り付け上部から見た図、図９は実施の形態の成端キャビネットのキャビネット本体内部の説明図、図１０は実施の形態のケーブル挿通部の拡大斜視図を示している。
【００１８】
本発明の成端キャビネット１００は、光ケーブル通信線１０の外線と加入者側の内線との接続部に成端処理を取り付けるためのキャビネットであって、キャビネット本体１５０には既に加入者宅の所定の壁面３５に取り付けられている加入者保安器３０に装着するためのアタッチメント１７０が備えられている。
【００１９】
成端キャビネット１００は、既設の加入者保安器３０よりも大きな外形を有する。また、成端キャビネット１００は、キャビネット本体１５０と、このキャビネット本体１５０に装着されるカバー体１５５とを備え、これらで覆われる内部に各種部品を収納可能としている。素材としては、樹脂製のものが適用される。
【００２０】
キャビネット本体１５０は、加入者宅の壁面３５に対向する面として裏面１５１を有しており、キャビネット本体１５０の外側にアタッチメント１７０が取り付けられている。
【００２１】
アタッチメント１７０は、加入者保安器３０のカバー部材３３に嵌合できる構造を有している。図中では、６号型加入者保安器３０に装着する例を示している。既設の加入者保安器３０は、一般的に保安器本体をねじでねじ止めされたベース部３２が、ベース部３２下方両端に設けられたねじ穴３６にねじを挿通させて壁面３５にねじ止めされている。そして、カバー部材３３がスライド式でこれらを覆い、略密閉状態が保たれている。アタッチメント１７０には、上記加入者保安器３０を覆うようにスライドさせて装着する嵌合爪部１７１と、キャビネット本体１５０への取り付け可能とする取付突部１７２とを有している。
【００２２】
嵌合爪部１７１は、アタッチメント１７０の基部１７３から軸平行へ立設され、基部１７３中心に向かって屈曲した爪形状を有する。嵌合爪部１７１は、図中では、基部１７３の外周から既設の加入者保安器３０を握持するような形状を有し、既設の加入者保安器３０を上部から握持する上部握持部１７７と左右から握持する左右握持部１７８との先端部に形成される。
【００２３】
左右握持部１７８は、左右を１セットとして、２セットの握持部１７８が適当な間隔をあけて、併設される。併設された握持部１７８を補強するために、補強部１７９が設けられ、握持部１７８，１７８が連結されている。加入者保安器３０と略同幅を有するアタッチメント１７０の基部１７３と嵌合爪部１７１との間に加入者保安器３０が嵌り込み、握持部１７７，１７８および補強部１７９によって既設の加入者保安器３０が握持される。
【００２４】
取付突部１７２は、アタッチメント１７０の基部１７３の背面１７４から突設されたる構成である。図２では、基部１７３の背面１７４に適当な間隔Ｗを開けて一対の取付突部１７２が設けられている。
【００２５】
また、取付突部１７２は、例えば、基部１７３の水平方向に幅を有するもので、取付突部１７２の先端は引掛片１７６を有した形状である。
【００２６】
引掛片１７６は、外側に向って爪状の片が形成され、図中では１対の引掛片１７６が設けられている。引掛片１７６は、係合面１７６１とテーパー面１７６２とを有する。
【００２７】
取付突部１７２は、キャビネット本体１５０の裏面１５１に設けられたキャッチ部１５２と係合する。
【００２８】
なお、取付突部１７２の両端面と接触しない程度に適当な間隔をあけて押さえ板１７５が並設されている。
【００２９】
キャッチ部１５２は、アタッチメント１７０がキャビネット本体１５０に取り付けられる位置を選択可能とするものである。キャッチ部１５２は、キャビネット本体１５０の裏面１５１に上下左右に複数配置され、任意にＮ個のキャッチ部１５２が配置される。図中では上下左右に６箇所に配置されている。各キャッチ部１５２を仕切る仕切り板１５４が裏面１５１から軸方向、水平方向に立設され、仕切り板１５４には、アタッチメント１７０の引掛片１７６と係合する係合穴１５３が設けられており、図中では９箇所設けられている。即ち、１つのキャッチ部Ａ，Ｂは、仕切り板１５４によって取り囲まれるうち、上下の仕切り板１５４に係合面１５３１を有した係合穴１５３が設けられている。作業環境に応じて都合の良い箇所が選択される。
【００３０】
キャビネット本体１５０の内側には、キャビネット本体１５０へ収納可能で、かつ着脱自在なホルダ体１６０が備えられている。
【００３１】
ホルダ体１６０は、図中ではキャビネット本体１５０と略同形状を有する。素材としては、ポリエチレン製のものを適用する。また、ホルダ体１６０は、光ケーブル通信線１０の成端手段２０を収納するトレイ１６１と、トレイ１６１に開閉自在に取り付けられた蓋体１６２とから構成される。
【００３２】
蓋体１６２は、蓋体１６２の片端に設けられたヒンジ部１６７によりトレイ１６１に開閉自在に設けられる。また、蓋体１６２は、蓋体１６２の中央両端に設けられたプレート穴部１６４と、蓋体１６２の中央に設けられ、キャビネット本体１５０の嵌合壁部１５２１と略同形状を有する嵌合穴部１６５とトレイ１６１と嵌め合うために設けられたくい込み部１６８から構成される。
【００３３】
トレイ１６１は、その内部に、光ケーブル通信線１０の成端手段２０を取り付けるための支持部１１０と、光ケーブル通信線１０の余長部分１１を巻き取る巻き取り部１２０と、光ケーブル通信線１０を誘導する誘導部１３０と、光ケーブル通信線１０を挿通し、位置決めするケーブル挿通部１４０とが設けられている。また、トレイ１６１は、その側面部１６６の片端に、蓋体１６２を閉めたときに嵌め合う突部１６９が設けられている。
【００３４】
支持部１１０は、キャビネット本体１５０の中程の側面寄りで、両側に配置されており、どちらかを選択することができる。
【００３５】
１つの支持部１１０は、ガイド溝１１１とガイド溝１１１の片端に突起部１１２が設けられて構成されている。ガイド溝１１１には、成端手段２０のアダプタ２３のプレート部２４が差し込まれ保持固定される。アダプタ２３には、コネクタ２１、２２が装着され、外線側から引き込まれる光ケーブル通信線１０と加入者側に引き込まれる光ケーブル通信線１０とが成端されている。
【００３６】
巻き取り部１２０は、光ケーブル通信線１０がよれや折れ曲がり無く巻回できる構造であり、隔壁１２１と複数の突起とを備えている。
【００３７】
隔壁１２１は、光ケーブル通信線１０が何周回と巻回できるよう、光ケーブル通信線１０の曲径半径を維持できるほどの一定間隔を有し、内周側から外周側へ向かって何重かに設けられた構成である。
【００３８】
複数の突起は、収納される光ケーブル通信線１０がトレイ１６１の内部から逸脱しないよう設けられた突起であり、トレイ１６１の外周側から水平方向に立設され内周側に向かって設けられた第１突起１２２と、トレイ１６１の内周側から水平方向に立設され外周側に向かって設けられた第２突起１２３とから構成される。第１突起１２２は、トレイ１６１の側面１６６および隔壁１２１に設けられ、第２突起１２３は誘導部１３０に設けられる。
【００３９】
誘導部１３０は、トレイ１６１の内部で巻回される光ケーブル通信線１０のねじれやよれを防止し、効率よく収納するため設けられたガイド用突片１３１であり、トレイ１６１の中央に突設され、例えば、略楕円形状を有する。図中では、誘導部１３０はトレイ１６１の中央に上下２つ並設されている。
【００４０】
ケーブル挿通部１４０は、光ケーブル通信線１０の外線と内線とを挿通し位置決めするためのものであり、トレイ１６１の下方に左右２箇所に設けられている。ケーブル挿通部１４０は、挿通基部１４１と押さえ部材１４２と連結部１４３とから構成され、挿通基部１４１と押さえ部材１４２とは連結部１４３によって連結され、挿通基部１４１の上部に押さえ部材１４２が嵌合されて光ケーブル通信線１０が位置決めされる概略構成である。
【００４１】
挿通基部１４１は、トレイ１６１の側面１６６に延設され、例えば弾性と可撓性を有する櫛歯状を適用する。挿通基部１４１には光ケーブル通信線１０を挿通するための挿通溝１４１１が形成され、挿通溝１４１１の壁面１４１５が光ケーブル通信線１０の軸方向にわたって櫛歯状に形成される。図中では、挿通溝１４１１が２本形成される。光ケーブル通信線１０は複数挿通可能とされる。また挿通基部１４１には、挿通溝１４１１と挿通溝１４１１との間に逃げ溝１４１２が形成される。挿通溝１４１１に異径の光ケーブル通信線１０を挿通しても、逃げ溝１４１２が撓むことにより、光ケーブル通信線１０は確実に位置決めされる。さらに挿通基部１４１には、水平方向に割溝１４１３が形成されている。割溝１４１３は異径の光ケーブル通信線１０を挿通し易くさせ、また複数の光ケーブル通信線１０を挿通させても、挿通基部１４１１の内部でその変形に対応できるよう設けられたものである。これにより、異径の光ケーブル通信線１０は挿通可能とされる。挿通基部１４１の両端中央には突起テーパー面を有した抜止突起１４１４が形成される。
【００４２】
押さえ部材１４２は、例えば弾性と可撓性を有する櫛歯形のキャップ形状を適用する。押さえ部材１４２は、たとえばコ字形状を有する。押さえ部材１４２は、光ケーブル通信線１０の軸方向に挿通溝係入突条１４２１が形成される。また、押さえ部材１４２の両壁面１４２５には、水平方向に割溝係入突条１４２３が形成されている。さらに、押さえ部材１４２の両端中央には抜止テーパー面を有した抜け止め受穴１４２４が形成されている。
【００４３】
押さえ部材１４２を挿通基部１４１の上部に嵌め合わせた場合には、挿通溝係入突条１４２１が挿通溝１４１１に嵌め合う。割溝１４１３が割溝係入突条１２３と嵌合され、突起テーパー面と抜止テーパー面とが接触しながら抜止突起１４１４が抜止受穴１４２４に係止される。
【００４４】
光ケーブル通信線１０を挿通溝１４１１に挿通させ、押さえ部材１４２を挿通基部１４１の上部に嵌め合わせた場合には、挿通溝１４１１と挿通溝係入突条１４２１とには、光ケーブル通信線１０の径より大なる挿通空間が形成される。これにより、光ケーブル通信線１０を複数挿通させることができる。
【００４５】
同時に、割溝１４１３と割溝係入突条１４２３とが嵌合されるとともに、押さえ部材１４２の付勢力を利用して、抜止突起１４１４が抜止受穴１４２４に係止される。
【００４６】
このように構成された成端キャビネット１００を用いた取り付け方法について説明する。なお、以下の手順は一例であり、その他の手順で行ってもよいことは言うまでもない。
【００４７】
まず、キャビネット本体１５０にホルダ体１６０を嵌め込む。
【００４８】
次に、蓋体１６２を開け、一方の光ケーブル通信線１０をケーブル挿通部１４０の挿通基部１４１の挿通溝１４１１に通した後、押さえ部材１４２を挿通基部１４１の上部に嵌合させ、光ケーブル通信線１０の位置決めと抜け止めを行う。
【００４９】
次に、光ケーブル通信線１０の余長部分１１を巻き取り部１２０に巻回する。巻き取り部１２０は、隔壁１２１と第１および第２突起１２２、１２３によって適度なスペースが確保されているため、そのスペースに光ケーブル通信線１０の余長部分１１を落とし込むように巻回する。また誘導部１３０が、光ケーブル通信線１０の巻回をガイドし、よれやねじれを防止する。これにより、余長部分１１に無理な力を加えることなく巻回処理が行われる。
【００５０】
次に、光ケーブル通信線１０の余長部分１１の端部をコネクタ２１側に装着する。そして、コネクタ２２側には、他方の光ケーブル通信線１０の一端を装着し、他端は上述と同様に残ったケーブル挿通部１４０から外部に引き出される。そして、これらコネクタ２１、２２をアダプタ２３に装着し、光ケーブル通信線１０の成端を行う。そして、アダプタ２３のプレート部２４を支持部１１０のガイド溝１１１に差し込む。これによりアダプタ２３の固定が完了する。
【００５１】
次に、蓋体１６２を閉め、カバー体１５５をキャビネット本体１５０に装着する。カバー体１５５とキャビネット本体１５０は、側方外周の適切な位置に設けられた装着部１８０等により、位置決めされ装着されながら、成端キャビネット１００が構成される。
【００５２】
次に、アタッチメント１７０の引掛片１７６がキャビネット本体１５０のキャッチ部１５２の係合穴１５３と係合する。詳しくは、図６に示すように、引掛片１７６のテーパー面１７６２が裏面１５１に沿ってガイドされ、係合穴１５３に係入され、引掛片１７６の係合面１７６１と係合穴１５３の係合面１５３１とが接触する。アタッチメントの取付部１７２は１つのキャッチ部Ａ，Ｂに取り付けられる。これにより、アタッチメント１７０がキャビネット本体１５０に取り付けられる。
【００５３】
既設されている加入者保安器３０のカバー部材３３に、アタッチメント１７０を上方から下方へ移動させながら、嵌合する。
【００５４】
ここで、既設の加入者保安器３０が、図７のように、壁面３５の角に設けられていた場合、複数有するキャッチ部１５２うち、一つのキャッチ部Ａを選択し、アタッチメント１７０を取り付け、既設の加入者保安器３０と嵌合する。
【００５５】
一方、既設の加入者保安器３０が、図８のように、壁面３５の中央に設けられていた場合には、複数有するキャッチ部１５２のうち、一つのキャッチ部Ｂを選択し、アタッチメント１７０を取り付け、既設の加入者保安器３０と嵌合する。
【００５６】
次に、カバー体１５５をキャビネット本体１５０に装着する。カバー体１５５のカバー側面部１５５１がキャビネット本体１５０の上部から側面部１５０１にスライドして保持されるとともに、側面部１５０１とこの側面部１５０１の下方両端に設けられた装着部１８０との間隙にカバー側面部１５５１が嵌め込まれ、カバー内側１５５２にホルダ体１６０が覆われることで、カバー体１５５の装着が完了する。
【００５７】
これより、成端キャビネット１００の取り付けが完了する。
【００５８】
アタッチメント１７０は図中のように既設の加入者保安器３０を握持するよう、既設の加入者保安器３０の上部からスライドさせる形式を適用したが、これに限られるものではなく、たとえば、アタッチメントを押圧等によって、既設の加入者保安器と嵌り込む形状であってもよい。
【００５９】
このように成端キャビネット１００を取り付けた場合における既設の加入者保安器３０の修理方法について説明する。なお、以下の手順は一例であり、その他の手順で行ってもよいことは言うまでもない。
【００６０】
まず、アタッチメント１７０が取り付けられた状態のまま、成端キャビネット１００を上方へ移動させ、既設の加入者保安器３０と別々にする。
【００６１】
次に、既設の加入者保安器３０を修理する場合にはカバー部材３３をスライドさせ取り外し、メタル通信線を端子から外して、保安器本体を交換する。交換後は、上記手順を逆にして、ふたたび、成端キャビネット１００が取り付けられる。
【００６２】
成端キャビネットは閉塞されたまま、既設の加入者保安器は修理される。成端キャビネットは既設の加入者保安器に着脱自在に取り付けられているため、既設の加入者保安器の修理は容易に行うことができる。
【００６３】
上述したように、成端キャビネットにおいては、加入者保安器がアタッチメントにより閉塞されるため、加入者保安器の内部が保護される。また、成端キャビネット自体もカバー体がキャビネット本体に装着されることで、成端キャビネットが閉塞され、内部に配置された各種部材が保護される。このようにいずれも略密閉状態が保たれるため、保安器本体や成端手段等が風雨にされされることなく、安定した状態で保持できる。
【００６４】
このように、実施の形態によれば、アタッチメントを設けるだけで、既設の加入者保安器の元々有しているスペースに成端キャビネットが取り付けられ、取り付けの簡便性が向上するとともに、取り付けスペースの確保が容易となり、美観を損なうこともない。
【００６５】
【本発明の効果】
以上のように、本発明の成端キャビネットにアタッチメントを設けたことにより、既設の加入者保安器に成端キャビネットを取り付けることができるという優れた効果を有している。
【００６６】
また、本発明の成端キャビネットは、既設の加入者保安器のカバー部ごと装着できる構造を有しているので、取り付けが極めて簡単であるとともに美観も損なわれないという優れた効果も有している。
【００６７】
さらに、各加入者宅の壁面に穴を開けずに取り付けられ、雨水等の浸入がないという優れた効果を有している。
【００６８】
本発明の成端キャビネットは、取り付け形態も自由自在であり、既設の加入者保安器の取り付け形態に対応できるという非常に優れた効果も有している。
【図面の簡単な説明】
【図１】  実施の形態の成端キャビネットの分解斜視図である。
【図２】  実施の形態のアタッチメントと加入者保安器との嵌合時の拡大斜視図である。
【図３】  実施の形態の成端キャビネットのキャビネット本体の裏面の斜視図である。
【図４】  実施の形態の成端キャビネットのキャビネット本体のキャッチ部Ａにアタッチメントが取り付けられた斜視図である。
【図５】  実施の形態の成端キャビネットのキャビネット本体のキャッチ部Ｂにアタッチメントが取り付けられた斜視図である。
【図６】  図５の状態のＡ−Ａ線断面図である。
【図７】  図４の成端キャビネットを既設の加入者保安器に取り付け上部から見た図である。
【図８】  図５の成端キャビネットを既設の加入者保安器に取り付け上部から見た図である。
【図９】  実施の形態の成端キャビネットのキャビネット本体内部の説明図である。
【図１０】  実施の形態のケーブル挿通部の拡大斜視図である。
【符号の説明】
１００      成端キャビネット
１１０      支持部
１１２      突起部
１２０      巻き取り部
１２１      隔壁
１２２      第１突起
１２３      第２突起
１３０      誘導部
１３１      ガイド用突起
１４０      ケーブル挿通部
１４１      挿通基部
１４１１    挿通溝
１４１２    逃げ溝
１４１３    割溝
１４１４    抜止突起
１４１５    壁面
１４２      押さえ部材
１４２１    挿通溝係入突条
１４２３    割溝係入突条
１４２４    抜止受穴
１４２５    壁面
１４３      連結部
１５０      キャビネット本体
１５０１    側面部
１５１      裏面
１５２      キャッチ部
Ａ、Ｂ      １つのキャッチ部
１５３      係合穴
１５４      仕切り板
１５５      カバー体
１５５１    カバー側面部
１５５２    カバー内側
１６０      ホルダ体
１６１      トレイ
１６２      蓋体
１６６      側面
１６７      ヒンジ部
１６８      くい込み部
１６９      突部
１５５      カバー体
１５５１    カバー側面部
１５５２    内側
１７０      アタッチメント
１７１      嵌合爪部
１７２      取付突部
Ｗ          間隔
１７３      基部
１７４      背面
１７５      押さえ板
１７６      引掛片
１７６１    係合面
１７６２    テーパー面
１７７      握持部
１７８      握持部
１７９      補強部
１８０      装着部
１０        光ケーブル通信線
１１        余長部分
２０        成端手段
２１、２２  コネクタ
２３        アダプタ
２４        プレート部
３０        加入者保安器
３２        ベース部
３３        カバー部材
３４        ねじ
３５        壁面
３６        ねじ穴
【図１】
0003696823.tif 000002
【図２】
0003696823.tif 000003
【図３】
0003696823.tif 000004
【図４】
0003696823.tif 000005
【図５】
0003696823.tif 000006
【図６】
0003696823.tif 000007
【図７】
0003696823.tif 000008
【図８】
0003696823.tif 000009
【図９】
0003696823.tif 000010
【図１０】
0003696823.tif 000011